(57)【要約】少なくとも２つのサイドブラケットと、前記サイドブラケットの間に設けられるクロスブラケットおよびダイニングプレート（３１）を含む子供の食事用椅子であって、各前記サイドブラケットのそれぞれは、ベースブラケット、垂直ロッドアセンブリ（１２）および背もたれロッド（１１）を含み、前記ベースブラケットの上端部と前記垂直ロッドアセンブリ（１２）の下端部とは第１の回動ジョイント（５）を介して回動可能に接続され、前記垂直ロッドアセンブリ（１２）の上端部は第２の回動ジョイント（６）を介して前記背もたれロッド（１１）の下端部と回動可能に接続され、前記第１の回動ジョイント（５）、前記第２の回動ジョイント（６）内にそれぞれロック機構が設けられ、前記子供の食事用椅子は展開状態と折り畳み状態を有し、展開状態にある場合、前記第１の回動ジョイント（５）、第２の回動ジョイント（６）はロックされ、前記ベースブラケット、垂直ロッドアセンブリ（１２）および背もたれロッド（１１）は対向して展開され、折り畳み状態にある場合、前記第１の回動ジョイント（５）、第２の回動ジョイント（６）は解錠され、前記ベースブラケット、垂直ロッドアセンブリ（１２）および背もたれロッド（１１）は互いに近接する。当該子供の食事用椅子は折り畳み操作が便利であり、折り畳み後の体積が小さく、携帯しやすい。
2021504030.tif 000002
【特許請求の範囲】
【請求項１】
少なくとも２つのサイドブラケット、前記サイドブラケットの間に設けられるクロスブラケットおよびダイニングプレートを含む子供の食事用椅子において、
各前記サイドブラケットのそれぞれは、ベースブラケット、垂直ロッドアセンブリおよび背もたれロッドを含み、前記ベースブラケットの上端部と前記垂直ロッドアセンブリの下端部とは第１の回動ジョイントを介して回動可能に接続され、前記垂直ロッドアセンブリの上端部は第２の回動ジョイントを介して前記背もたれロッドの下端部と回動可能に接続され、前記第１の回動ジョイント、前記第２の回動ジョイント内にそれぞれロック機構が設けられ、
前記子供の食事用椅子は展開状態と折り畳み状態を有し、展開状態にある場合、前記第１の回動ジョイント、第２の回動ジョイントはロックされ、前記ベースブラケット、垂直ロッドアセンブリおよび背もたれロッドは対向して展開され、折り畳み状態にある場合、前記第１の回動ジョイント、第２の回動ジョイントは解錠され、前記ベースブラケット、垂直ロッドアセンブリおよび背もたれロッドは互いに近接することを特徴とする子供の食事用椅子。
【請求項２】
前記ベースブラケットは対向して展開又は近接可能な前部ブラケットと後部ブラケットを含み、前記前部ブラケットの上端部および／または前記後部ブラケットの上端部は前記垂直ロッドアセンブリの下端部と前記第１の回動ジョイントを介して回動可能に接続され、前記子供の食事用椅子は折り畳み状態で、前記前部ブラケット、後部ブラケット、垂直ロッドアセンブリおよび背もたれロッドが互いに近接する
ことを特徴とする請求項１に記載の子供の食事用椅子。
【請求項３】
前記第１の回動ジョイントは、前記垂直ロッドアセンブリ下端部と固定するように接続される下部垂直ロッド接続具と、前記前部ブラケット上端部と固定するように接続される前部ブラケット接続具と、前記後部ブラケット上端部と固定するように接続される後部ブラケット接続具とを含み、前記下部垂直ロッド接続具、前記前部ブラケット接続具、前記後部ブラケット接続具のそれぞれは第４の支持軸を介して回動可能に接続される
ことを特徴とする請求項２に記載の子供の食事用椅子。
【請求項４】
前記第１の回動ジョイントは可動的に設けられる第１のロック部材をさらに含み、前記下部垂直ロッド接続具、前部ブラケット接続具、後部ブラケット接続具の外縁にそれぞれ前記第１のロック部材の挿入可能な溝が開設されており、前記子供の食事用椅子は展開状態にある場合、前記下部垂直ロッド接続具、前部ブラケット接続具、後部ブラケット接続具における溝は互いに重なることで第１のロック溝が形成され、前記第１のロック部材は前記第１のロック溝に挿入されることで前記第１の回動ジョイントをロックさせ、前記子供の食事用椅子は折り畳み状態にある場合に、前記第１のロック部材が前記溝から係合解除される
ことを特徴とする請求項３に記載の子供の食事用椅子。
【請求項５】
前記子供の食事用椅子は、前記第１の回動ジョイント内のロック機構と前記第２の回動ジョイント内のロック機構を連動的に解錠させる解錠機構をさらに含む
ことを特徴とする請求項１に記載の子供の食事用椅子。
【請求項６】
前記ダイニングプレートは前記垂直ロッドアセンブリおよび前記背もたれロッドと前記第２の回動ジョイントを介して回動可能に接続され、或いは、前記ダイニングプレートは前記垂直ロッドアセンブリまたは前記背もたれロッドと第３の回動ジョイントを介して回動可能に接続される
ことを特徴とする請求項１に記載の子供の食事用椅子。
【請求項７】
前記ダイニングプレートは前記背もたれロッドと第３の回動ジョイントを介して回動可能に接続され、前記第３の回動ジョイント内にロック機構が設けられ、前記子供の食事用椅子は、前記第１の回動ジョイント内のロック機構、前記第２の回動ジョイント内のロック機構および前記第３の回動ジョイント内のロック機構を連動的に解錠させることができる解錠機構をさらに含む
ことを特徴とする請求項６に記載の子供の食事用椅子。
【請求項８】
前記第２の回動ジョイントは背もたれロッド接続具と、第１のスライダと、第２のロック部材と、上部垂直ロッド接続具とを含み、前記背もたれロッド接続具は前記背もたれロッドの下端部と固定するように接続され、前記上部垂直ロッド接続具は前記垂直ロッドアセンブリの上端部と固定するように接続され、前記背もたれロッド接続具、第１のスライダ、第２のロック部材および上部垂直ロッド接続具は順次第５の支持軸を介して回動可能に接続され、前記第１のスライダ、第２のロック部材は前記第５の支持軸の軸中心線に沿って摺動可能に前記背もたれロッド接続具と前記上部垂直ロッド接続具との間に設けられ、前記第２のロック部材の外縁に歯状の第２のロック部を備え、前記背もたれロッド接続具と前記上部垂直ロッド接続具にそれぞれ前記第２のロック部と嵌め合うロック溝が開設され、前記子供の食事用椅子は展開状態にある場合、前記背もたれロッド接続具におけるロック溝と上部垂直ロッド接続具におけるロック溝とが対応して重なり、前記第２のロック部が前記ロック溝に挿入されることで、前記第２の回動ジョイントはロックされ、前記子供の食事用椅子は折り畳み時に、前記第２のロック部は前記背もたれロッド接続具におけるロック溝または上部垂直ロッド接続具におけるロック溝から係合解除され、前記第２の回動ジョイントは解錠される
ことを特徴とする請求項７に記載の子供の食事用椅子。
【請求項９】
前記第３の回動ジョイントは前記背もたれロッド接続具および第３のロック部材、第２のスライダ、前記ダイニングプレートと接続されるダイニングプレート接続具を含み、前記背もたれロッド接続具、第３のロック部材、第２のスライダ、ダイニングプレート接続具は第６の支持軸を介して順次回動可能に接続され、前記第３のロック部材、第２のスライダは前記第６の支持軸の軸中心線に沿って摺動可能に前記背もたれロッド接続具とダイニングプレート接続具との間を設けられ、前記第３のロック部材の外縁に歯状の第３のロック部を備え、前記背もたれロッド接続具、ダイニングプレート接続具にそれぞれ前記第３のロック部と嵌め合うロック溝が開設され、子供の食事用椅子は展開状態にある場合、前記背もたれロッド接続具におけるロック溝とダイニングプレート接続具におけるロック溝とは対応して重なり、前記第３のロック部が前記ロック溝に挿入されることで、前記第３の回動ジョイントはロックされ、子供の食事用椅子は折り畳み時に、前記第３のロック部は背もたれロッド接続具におけるロック溝またはダイニングプレート接続具におけるロック溝から係合解除され、前記第３の回動ジョイントは解錠される
ことを特徴とする請求項８に記載の子供の食事用椅子。
【請求項１０】
前記解錠機構は、
ダイニングプレート接続具に摺動可能に設けられる引手と、
一端が前記引手と固定するように接続され、他端が前記ダイニングプレート接続具と前記第３のロック部材との間に設けられる前記第２のスライダと固定するように接続される第１の牽引ケーブルであって、前記ダイニングプレート接続具の一方側表面に前記第２のスライダと接触協働する第２のガイド斜面を備え、前記第２のスライダを前記第６の支持軸に沿って摺動させることで、前記第３のロック部材を前記ダイニングプレート接続具におけるロック溝から係合解除されるように押し付け、前記第３の回動ジョイントを解錠させる第１の牽引ケーブルと、
前記ダイニングプレート接続具に伴って回動可能に前記第３の回動ジョイント内に設け
られる第１の牽引ケーブル台座と、
一端が前記第１の牽引ケーブル台座と固定するように接続され、他端が前記背もたれロッド接続具と前記第２のロック部材との間に設けられる前記第１のスライダと固定するように接続される第２の牽引ケーブルであって、前記背もたれロッド接続具の一方側表面に前記第１のスライダと接触協働する第１のガイド斜面を備え、前記第１のスライダを前記第５の支持軸に沿って摺動させることで、前記第２のロック部材を前記背もたれロッド接続具におけるロック溝から係合解除されるように押し付け、前記第２の回動ジョイントを解錠させる第２の牽引ケーブルと、
前記背もたれロッド接続具に伴って回動可能に前記第２の回動ジョイント内に設けられる第２の牽引ケーブル台座と、
一端が前記第２の牽引ケーブル台座と固定するように接続され、他端が前記第１の回動ジョイントを解錠させるように引っ張るように前記第１の回動ジョイントと固定するように接続される第３の牽引ケーブルと、を含む
ことを特徴とする請求項９に記載の子供の食事用椅子。
【請求項１１】
各前記サイドブラケットのそれぞれは、第１の支持軸を介して回動可能に前記垂直ロッドアセンブリと接続されるシートロッド、および上端部が第２の支持軸を介して回動可能に前記背もたれロッドまたは前記第２の回動ジョイントと接続され、下端部が第３の支持軸を介して回動可能に前記シートロッドと接続されるリンクをさらに含み、前記垂直ロッドアセンブリ、前記背もたれロッド、前記リンクおよび前記シートロッドは四リンク機構を構成することで対向して展開または互いに近接可能となる
ことを特徴とする請求項１に記載の子供の食事用椅子。
【請求項１２】
前記子供の食事用椅子は展開状態において、前記垂直ロッドアセンブリは前へ折り曲げて延在する第１の接続具を備え、前記シートロッドは下へ折り曲げて延在する第２の接続具を備え、前記第１の接続具の前端部と前記第２の接続具の下端部とは前記第１の支持軸を介して回動可能に接続され、および／または、前記シートロッドは上へ折り曲げて延在する第３の接続具を備え、前記第３の接続具の上端部と前記リンクの下端部とは前記第３の支持軸を介して回動可能に接続される
ことを特徴とする請求項１１に記載の子供の食事用椅子。
【請求項１３】
前記第１の支持軸、第２の支持軸および第３の支持軸は軸中心線が互いに平行である
ことを特徴とする請求項１１または１２に記載の子供の食事用椅子。
【請求項１４】
前記垂直ロッドアセンブリは下部垂直ロッドと、上下方向に沿って摺動可能に前記下部垂直ロッドと接続される上部垂直ロッドとを含み、前記下部垂直ロッドの下端部と前記ベースブラケットとは前記第１の回動ジョイントを介して回動可能に接続され、前記上部垂直ロッドの上端部と前記背もたれロッドとは前記第２の回動ジョイントを介して回動可能に接続される
ことを特徴とする請求項１に記載の子供の食事用椅子。
【請求項１５】
前記クロスブラケットは、少なくとも１つのクロスロッドアセンブリを含み、前記クロスロッドアセンブリは、外部ロッドと、左右方向に沿って摺動可能に前記外部ロッドと接続される内部ロッドと、を含み、前記外部ロッド、内部ロッドはそれぞれ２つの前記サイドブラケットと接続され、前記子供の食事用椅子は前記折り畳み状態にあるとき、２つの前記サイドブラケットを互いに近接させるように前記外部ロッドと内部ロッドが互いに近接する
ことを特徴とする請求項１に記載の子供の食事用椅子。
【請求項１６】
前記ダイニングプレートは着脱可能に前記サイドブラケットと接続され、前記子供の食
事用椅子は前記折り畳み状態にあるとき、前記ダイニングプレートは前記サイドブラケットを係合解除する
ことを特徴とする請求項１５に記載の子供の食事用椅子。
【請求項１７】
前記ダイニングプレートは左右方向に沿って互いに摺動可能なダイニングプレート左部とダイニングプレート右部を含み、前記子供の食事用椅子は前記折り畳み状態にあるとき、前記ダイニングプレート左部と前記ダイニングプレート右部とは互いに近接する
ことを特徴とする請求項１５に記載の子供の食事用椅子。
【請求項１８】
前記クロスロッドアセンブリは、
前記サイドブラケットの前記背もたれロッドの間に接続される第１のクロスロッドアセンブリと、
前記サイドブラケットの前記前部ブラケットの間に接続される第２のクロスロッドアセンブリと、
前記サイドブラケットの前記後部ブラケットの間に接続される第３のクロスロッドアセンブリと、を含む
ことを特徴とする請求項１５〜１７のいずれか１項に記載の子供の食事用椅子。
【発明の詳細な説明】
【技術分野】
【０００１】
本発明は児童用品の分野に属し、特に子供の食事用椅子に関する。
【背景技術】
【０００２】
子供の体型は大人と異なるため、子供が食事をするときに一般的な食事用椅子を使うことができず、カスタマイズされた子供専用の食事用椅子が必要となり、この椅子によって、子供の食事のサポートや大人による食事の世話が便利になる。さまざまな子供の食事用椅子の中で、折り畳みタイプの子供の食事用椅子は、必要に応じていつでも展開したり折り畳んだりすることができるため、使用にも携帯にも便利であり、その使用は汎用的になり子供の食事用椅子として普及しつつある。
【０００３】
現在、従来技術では、折り畳みタイプの子供の食事用椅子は、一般的には、展開状態と折り畳み状態とが可能な食事椅子フレーム本体と、食事椅子フレーム本体に設けられるシートプレートとを含む。例えば、中国特許CN202341489Uには、前部支持枠、後部支持枠、シートプレート、背もたれ部および両側の手すりを含む折り畳みタイプの子供の食事用椅子が開示されており、シートプレートの左右両側はともに前部支持枠および後部支持枠と回動可能に接続され、背もたれ部はシートプレートの後端と回動可能に接続され、両側の手すりはそれぞれ背もたれ部の左右両端と回動可能に接続されるとともに、両側の手すりはともに支持枠および後部支持枠と回動可能に接続される。このような構造の子供の食事用椅子は折り畳み可能であるが、折り畳み後の子供の食事用椅子の体積が十分に小さくならず、特に上下方向と左右方向での寸法は依然として大きい。
【発明の概要】
【発明が解決しようとする課題】
【０００４】
上記の課題を鑑み、本発明は折り畳み後の体積が比較的に小さい子供の食事用椅子を提供することを目的とする。
【課題を解決するための手段】
【０００５】
上記の目的を達成するために、本発明が採用する技術案は以下のとおりである。
【０００６】
少なくとも２つのサイドブラケット、前記サイドブラケットの間に設けられるクロスブラケットおよびダイニングプレートを含む子供の食事用椅子において、各前記サイドブラケットのそれぞれは、ベースブラケット、垂直ロッドアセンブリおよび背もたれロッドを含み、前記ベースブラケットの上端部と前記垂直ロッドアセンブリの下端部とは第１の回動ジョイントを介して回動可能に接続され、前記垂直ロッドアセンブリの上端部は第２の回動ジョイントを介して前記背もたれロッドの下端部と回動可能に接続され、前記第１の回動ジョイント、前記第２の回動ジョイント内にそれぞれロック機構が設けられると、
前記子供の食事用椅子は展開状態と折り畳み状態を有し、展開状態にある場合、前記第１の回動ジョイント、第２の回動ジョイントはロックされ、前記ベースブラケット、垂直ロッドアセンブリおよび背もたれロッドは対向して展開され、折り畳み状態にある場合、前記第１の回動ジョイント、第２の回動ジョイントは解錠され、前記ベースブラケット、垂直ロッドアセンブリおよび背もたれロッドは互いに近接する。
【０００７】
一部の実施例において、前記ベースブラケットは対向して展開又は近接可能な前部ブラケットと後部ブラケットを含み、前記前部ブラケットの上端部および／または前記後部ブラケットの上端部は前記垂直ロッドアセンブリの下端部と前記第１の回動ジョイントを介して回動可能に接続され、前記子供の食事用椅子は折り畳み状態で、前記前部ブラケット
、後部ブラケット、垂直ロッドアセンブリおよび背もたれロッドが互いに近接する。
【０００８】
一部の実施例において、前記第１の回動ジョイントは、前記垂直ロッドアセンブリ下端部と固定するように接続される下部垂直ロッド接続具と、前記前部ブラケット上端部と固定するように接続される前部ブラケット接続具と、前記後部ブラケット上端部と固定するように接続される後部ブラケット接続具とを含み、前記下部垂直ロッド接続具、前記前部ブラケット接続具、前記後部ブラケット接続具のそれぞれは第４の支持軸を介して回動可能に接続される。
【０００９】
一部の実施例において、前記第１の回動ジョイントは可動的に設けられる第１のロック部材をさらに含み、前記下部垂直ロッド接続具、前部ブラケット接続具、後部ブラケット接続具の外縁にそれぞれ前記第１のロック部材の挿入可能な溝が開設されており、前記子供の食事用椅子は展開状態にある場合、前記下部垂直ロッド接続具、前部ブラケット接続具、後部ブラケット接続具における溝は互いに重なることで第１のロック溝が形成され、前記第１のロック部材は前記第１のロック溝に挿入されることで前記第１の回動ジョイントをロックさせ、前記子供の食事用椅子は折り畳み状態にある場合に、前記第１のロック部材が前記溝から係合解除される。
【００１０】
一部の実施例において、前記子供の食事用椅子は、前記第１の回動ジョイント内のロック機構と前記第２の回動ジョイント内のロック機構を連動的に解錠させる解錠機構をさらに含む。
【００１１】
一部の実施例において、前記ダイニングプレートは前記垂直ロッドアセンブリおよび前記背もたれロッドと前記第２の回動ジョイントを介して回動可能に接続され、或いは、前記ダイニングプレートは前記垂直ロッドアセンブリまたは前記背もたれロッドと第３の回動ジョイントを介して回動可能に接続される。
【００１２】
一部の実施例において、前記ダイニングプレートは前記背もたれロッドと第３の回動ジョイントを介して回動可能に接続され、前記第３の回動ジョイント内にロック機構が設けられ、前記子供の食事用椅子は、前記第１の回動ジョイント内のロック機構、前記第２の回動ジョイント内のロック機構および前記第３の回動ジョイント内のロック機構を連動的に解錠させることができる解錠機構をさらに含む。
【００１３】
一部の実施例において、前記第２の回動ジョイントは背もたれロッド接続具と、第１のスライダと、第２のロック部材と、上部垂直ロッド接続具とを含み、前記背もたれロッド接続具は前記背もたれロッドの下端部と固定するように接続され、前記上部垂直ロッド接続具は前記垂直ロッドアセンブリの上端部と固定するように接続され、前記背もたれロッド接続具、第１のスライダ、第２のロック部材および上部垂直ロッド接続具は順次第５の支持軸を介して回動可能に接続され、前記第１のスライダ、第２のロック部材は前記第５の支持軸の軸中心線に沿って摺動可能に前記背もたれロッド接続具と前記上部垂直ロッド接続具との間に設けられ、前記第２のロック部材の外縁に歯状の第２のロック部を備え、前記背もたれロッド接続具と前記上部垂直ロッド接続具にそれぞれ前記第２のロック部と嵌め合うロック溝が開設され、前記子供の食事用椅子は展開状態にある場合、前記背もたれロッド接続具におけるロック溝と上部垂直ロッド接続具におけるロック溝とが対応して重なり、前記第２のロック部が前記ロック溝に挿入されることで、前記第２の回動ジョイントはロックされ、前記子供の食事用椅子は折り畳み時に、前記第２のロック部は前記背もたれロッド接続具におけるロック溝または上部垂直ロッド接続具におけるロック溝から係合解除され、前記第２の回動ジョイントは解錠される。
【００１４】
一部の実施例において、前記第３の回動ジョイントは前記背もたれロッド接続具および
第３のロック部材、第２のスライダ、前記ダイニングプレートと接続されるダイニングプレート接続具を含み、前記背もたれロッド接続具、第３のロック部材、第２のスライダ、ダイニングプレート接続具は第６の支持軸を介して順次回動可能に接続され、前記第３のロック部材、第２のスライダは前記第６の支持軸の軸中心線に沿って摺動可能に前記背もたれロッド接続具とダイニングプレート接続具との間を設けられ、前記第３のロック部材の外縁に歯状の第３のロック部を備え、前記背もたれロッド接続具、ダイニングプレート接続具にそれぞれ前記第３のロック部と嵌め合うロック溝が開設され、子供の食事用椅子は展開状態にある場合、前記背もたれロッド接続具におけるロック溝とダイニングプレート接続具におけるロック溝とは対応して重なり、前記第３のロック部が前記ロック溝に挿入されることで、前記第３の回動ジョイントはロックされ、子供の食事用椅子は折り畳み時に、前記第３のロック部は背もたれロッド接続具におけるロック溝またはダイニングプレート接続具におけるロック溝から係合解除され、前記第３の回動ジョイントは解錠される。
【００１５】
一部の実施例において、前記解錠機構は、
ダイニングプレート接続具に摺動可能に設けられる引手と、
一端が前記引手と固定するように接続され、他端が前記ダイニングプレート接続具と前記第３のロック部材との間に設けられる前記第２のスライダと固定するように接続される第１の牽引ケーブルであって、前記ダイニングプレート接続具の一方側表面に前記第２のスライダと接触協働する第２のガイド斜面を備え、前記第２のスライダを前記第６の支持軸に沿って摺動させることで、前記第３のロック部材を前記ダイニングプレート接続具におけるロック溝から係合解除されるように押し付け、前記第３の回動ジョイントを解錠させる第１の牽引ケーブルと、
前記ダイニングプレート接続具に伴って回動可能に前記第３の回動ジョイント内に設けられる第１の牽引ケーブル台座と、
一端が前記第１の牽引ケーブル台座と固定するように接続され、他端が前記背もたれロッド接続具と前記第２のロック部材との間に設けられる前記第１のスライダと固定するように接続される第２の牽引ケーブルであって、前記背もたれロッド接続具の一方側表面に前記第１のスライダと接触協働する第１のガイド斜面を備え、前記第１のスライダを前記第５の支持軸に沿って摺動させることで、前記第２のロック部材を前記背もたれロッド接続具におけるロック溝から係合解除されるように押し付け、前記第２の回動ジョイントを解錠させる第２の牽引ケーブルと、
前記背もたれロッド接続具に伴って回動可能に前記第２の回動ジョイント内に設けられる第２の牽引ケーブル台座と、
一端が前記第２の牽引ケーブル台座と固定するように接続され、他端が前記第１の回動ジョイントを解錠させるように引っ張るように前記第１の回動ジョイントと固定するように接続される第３の牽引ケーブルと、を含む。
【００１６】
一部の実施例において、各前記サイドブラケットのそれぞれは、第１の支持軸を介して回動可能に前記垂直ロッドアセンブリと接続されるシートロッド、および上端部が第２の支持軸を介して回動可能に前記背もたれロッドまたは前記第２の回動ジョイントと接続され、下端部が第３の支持軸を介して回動可能に前記シートロッドと接続されるリンクをさらに含み、前記垂直ロッドアセンブリ、前記背もたれロッド、前記リンクおよび前記シートロッドは四リンク機構を構成することで対向して展開または互いに近接可能となる。
【００１７】
一部の実施例において、前記子供の食事用椅子は展開状態において、前記垂直ロッドアセンブリは前へ折り曲げて延在する第１の接続具を備え、前記シートロッドは下へ折り曲げて延在する第２の接続具を備え、前記第１の接続具の前端部と前記第２の接続具の下端部とは前記第１の支持軸を介して回動可能に接続され、および／または、前記シートロッドは上へ折り曲げて延在する第３の接続具を備え、前記第３の接続具の上端部と前記リン
クの下端部とは前記第３の支持軸を介して回動可能に接続される。
【００１８】
一部の実施例において、前記第１の支持軸、第２の支持軸及び第３の支持軸は軸中心線が互いに平行である。
【００１９】
一部の実施例において、前記垂直ロッドアセンブリは下部垂直ロッドと、上下方向に沿って摺動可能に前記下部垂直ロッドと接続される上部垂直ロッドとを含み、前記下部垂直ロッドの下端部と前記ベースブラケットとは前記第１の回動ジョイントを介して回動可能に接続され、前記上部垂直ロッドの上端部と前記背もたれロッドとは前記第２の回動ジョイントを介して回動可能に接続される。
【００２０】
一部の実施例において、前記クロスブラケットは、少なくとも１つのクロスロッドアセンブリを含み、前記クロスロッドアセンブリは、外部ロッドと、左右方向に沿って摺動可能に前記外部ロッドと接続される内部ロッドと、を含み、前記外部ロッド、内部ロッドはそれぞれ２つの前記サイドブラケットと接続され、前記子供の食事用椅子は前記折り畳み状態にあるとき、２つの前記サイドブラケットを互いに近接させるように前記外部ロッドと内部ロッドが互いに近接する。
【００２１】
一部の実施例において、前記ダイニングプレートは着脱可能に前記サイドブラケットと接続され、前記子供の食事用椅子は前記折り畳み状態にあるとき、前記ダイニングプレートは前記サイドブラケットを係合解除する。
【００２２】
一部の実施例において、前記ダイニングプレートは左右方向に沿って互いに摺動可能なダイニングプレート左部とダイニングプレート右部を含み、前記子供の食事用椅子は前記折り畳み状態にあるとき、前記ダイニングプレート左部と前記ダイニングプレート右部とは互いに近接する。
【００２３】
一部の実施例において、前記クロスロッドアセンブリは、
前記サイドブラケットの前記背もたれロッドの間に接続される第１のクロスロッドアセンブリと、
前記サイドブラケットの前記前部ブラケットの間に接続される第２のクロスロッドアセンブリと、
前記サイドブラケットの前記後部ブラケットの間に接続される第３のクロスロッドアセンブリと、を含む。
【発明の効果】
【００２４】
以上より、本発明は上記の技術案を適用することで、従来技術と比べ、以下の利点を有する。
【００２５】
本発明に係る子供の食事用椅子は折り畳み時に、第２の回動ジョイントが解錠され、背もたれロッドが下へ反転して背もたれロッドと垂直ロッドアセンブリとを互いに近接させ、第１の回動ジョイントが解錠され、ベースブラケットが上へ反転して背もたれロッド、垂直ロッドアセンブリおよびベースブラケットの折り畳みを実現し、折り畳み操作が便利で、折り畳み後の子供の食事用椅子は体積が小さく、携帯しやすい。
【図面の簡単な説明】
【００２６】
本発明に係る技術案をより明確に説明するために、以下、実施例に使用される図面を簡単に説明する。明らかに、下記図面は本発明に記載される実施例の一部にすぎず、当業者であれば、創造的な労力を伴うことなく、これらの図面から他の図面を得ることができる。
【００２７】
【図１】ある視野における本発明に係る、シート布カバーが省略された子供の食事用椅子の斜視図を示す。
【図２】別の視野における本発明に係る子供の食事用椅子の斜視図を示す。
【図３】図２に示す子供の食事用椅子の側面図を示す。
【図４】椅子が高く調節された図２に示す子供の食事用椅子の側面図を示す。
【図５】ダイニングプレートが折り畳みされた図１に示す子供の食事用椅子の斜視図を示す。
【図６】ダイニングプレートが折り畳みされた図１に示す子供の食事用椅子の側面図を示す。
【図７】図１に示す子供の食事用椅子がさらに折り畳みされた後の斜視図を示す。
【図８】図１に示す子供の食事用椅子がさらに折り畳みされた後の側面図を示す。
【図９】サイドブラケットが折り畳みされた図１に示す子供の食事用椅子の斜視図を示す。
【図１０】サイドブラケットが折り畳みされた図１に示す子供の食事用椅子の側面図を示す。
【図１１】サイドブラケットが折り畳みされた図１に示す子供の食事用椅子の正面図を示す。
【図１２】ダイニングプレートが取り外された図１に示す子供の食事用椅子が折り畳み状態にある場合の斜視図を示す。
【図１３】ダイニングプレートが取り外された図１に示す子供の食事用椅子が折り畳み状態にある場合の側面図を示す。
【図１４】ダイニングプレートが取り外された図１に示す子供の食事用椅子が折り畳み状態にある場合の正面図を示す。
【図１５】本発明に係る第１の回動ジョイントの斜視模式図を示す。
【図１６】本発明に係る第２の回動ジョイントと第３の回動ジョイントの分解模式図を示す。
【図１７】本発明に係る第２の回動ジョイントと第３の回動ジョイントの断面図を示す。
【図１８】本発明に係る子供の食事用椅子の断面図を示す。
【図１９】サイドブラケットが折り畳みされた本発明に係る別の子供の食事用椅子の斜視図を示す。
【図２０】サイドブラケットが折り畳みされた図１９に示す子供の食事用椅子の正面図を示す。
【図２１】は図１９に示す子供の食事用椅子が折り畳み状態にある場合の斜視図を示す。
【図２２】図１９に示す子供の食事用椅子が折り畳み状態にある場合の正面図を示す。
【発明を実施するための形態】
【００２８】
以下、本発明の利点と特徴を当業者が容易に理解できるように、図を参照しながら本発明の好適な実施例について詳しく説明する。なお、これらの実施形態に対する説明は本発明を理解しやすくするために用いられ、本発明を限定するものではない。また、以下に説明する本発明の各実施形態に係る構成要件は、互いに相反しない限り、互いに組み合わせることができる。
【００２９】
ここで説明する方向を示す用語は、展開状態にある子供用食事チェアーが置かれている方向に対する当業者の一般的な観察視点に基づいて定義されるものである。
【００３０】
実施例１
本実施例は、展開状態と折り畳み状態を有する折り畳みタイプの子供の食事用椅子を提供する。図１〜図１４に示すように、当該子供の食事用椅子は、それぞれ左右両側に位置する２つのサイドブラケット、両側の前記サイドブラケットの間に設けられるクロスブラケット及びダイニングプレート３１を含む。各前記サイドブラケットのそれぞれは、ベースブラケット、垂直ロッドアセンブリ１２および背もたれロッド１１を含み、ベースブラケットの上端部と垂直ロッドアセンブリ１２の下端部とは第１の回動ジョイント５を介して回動可能に接続され、垂直ロッドアセンブリ１２の上端部と背もたれロッド１１の下端部とは第２の回動ジョイント６を介して回動可能に接続される。第１の回動ジョイント５、第２の回動ジョイント６の内にはそれぞれロック機構が設けられる。ダイニングプレート３１と垂直ロッドアセンブリ１２、背もたれロッド１１とは上記の第２の回動ジョイント６を介して回動可能に接続されるか、または、ダイニングプレート３１と垂直ロッドアセンブリ１２または背もたれロッド１１とは１つの第３の回動ジョイント７を介して回動可能に接続される。具体的には、本実施例において、ダイニングプレート３１と背もたれロッド１１とは１つの第３の回動ジョイント７を介して回動可能に接続され、第３の回動ジョイント７の内にもロック機構が設けられている。子供の食事用椅子は展開状態にある場合、第１の回動ジョイント５、第２の回動ジョイント６、第３の回動ジョイント７はそれぞれ各自のロック機構によってロックされ、ダイニングプレート３１、ベースブラケット、垂直ロッドアセンブリ１２および背もたれロッド１１は対向して展開される。子供の食事用椅子は折り畳み状態にある場合、第１の回動ジョイント５、第２の回動ジョイント６、第３の回動ジョイント７は全て解錠され、ダイニングプレート３１と背もたれロッド１１とは互いに近接し、ベースブラケット、垂直ロッドアセンブリ１２および背もたれロッド１１は互いに近接する。
【００３１】
ベースブラケットは対向して展開又は近接可能な前部ブラケット１５と後部ブラケット１６を含む。前部ブラケット１５の上端部および／または後部ブラケット１６の上端部と垂直ロッドアセンブリ１２の下端部とは上記の第１の回動ジョイント５を介して回動可能に接続される。具体的には、本実施例において、各サイドブラケットの前部ブラケット１５の上端部、後部ブラケット１６の上端部および垂直ロッドアセンブリ１２の下端部のそれぞれは１つの前記の第１の回動ジョイント５を介して回動可能に接続される。好ましくは、垂直ロッドアセンブリ１２、前部ブラケット１５、後部ブラケット１６のそれぞれは長さが略同等であり、折り畳み後の子供の食事用椅子の体積が小さくなる。
【００３２】
垂直ロッドアセンブリ１２は、下部垂直ロッド１２１と、上下方向に沿って摺動可能に下部垂直ロッド１２１と接続される上部垂直ロッド１２２とを含み、下部垂直ロッド１２１の下端部と前部ブラケット１５および後部ブラケット１６は第１の回動ジョイント５を介して回動可能に接続され、上部垂直ロッド１２２の上端部と背もたれロッド１１の下端部とは第２の回動ジョイント６を介して回動可能に接続される。具体的に、上部垂直ロッド１２２は中空であり、上部垂直ロッド１２２は上下方向に沿って摺動可能に下部垂直ロッド１２１の外部に外装されることによって、垂直ロッドアセンブリ１２が上下伸縮可能となり、さらにダイニングプレート３１、背もたれロッド１１などの高さを調節でき、例えば、図３に示す所示低い位置から図４に示す高い位置まで調節可能であり、高さは調節可能である。
【００３３】
各サイドブラケットのそれぞれはシートロッド１３とリンク１４とをさらに含む。シートロッド１３は略前後方向に沿って延在し、シートロッド１３は第１の支持軸９１を介して回動可能に垂直ロッドアセンブリ１２の上部垂直ロッド１２２と接続され、シートロッド１３の高さは垂直ロッドアセンブリ１２の伸縮につれて調整可能である。リンク１４は略上下方向に沿って延在し、リンク１４の上端部は第２の支持軸９２を介して回動可能に背もたれロッド１１または第２の回動ジョイント６と接続されることによって、折り畳み時に回動させられるように背もたれロッド１１によって駆動され、リンク１４の下端部は
第３の支持軸９３を介して回動可能にシートロッド１３と接続される。垂直ロッドアセンブリ１２、背もたれロッド１１、リンク１４およびシートロッド１３は互いに四リンク機構を構成することで、対向して展開、互いに近接可能となる。具体的に、図１、図２、図５、図７に示すように、上部垂直ロッド１２２は、本体から前へ折り曲げて延在する第１の接続具１２３を備え、シートロッド１３は本体から下へ延在する第２の接続具１３１を備え、第１の接続具１２３の前端部と第２の接続具１３１の下端部とは前記第１の支持軸９１を介して回動可能に接続され、シートロッド１３は本体から上へ折り曲げて延在する第３の接続具１３２を備え、第３の接続具１３２の上端部とリンク１４の下端部とは前記第３の支持軸９３を介して回動可能に接続される。第３の接続具１３２は第２の接続具１３１の後方に位置する。
【００３４】
シートロッド１３と背もたれロッド１１との間に、幼児を乗せるためのシート布カバー４が設けられ、ダイニングプレート３１が背もたれロッド１１の前方に位置し、かつ、シート布カバー４との間に幼児の出入りが可能な空間を有する。
【００３５】
当該子供の食事用椅子は、第１の回動ジョイント５内のロック機構、第２の回動ジョイント６内のロック機構及び第３の回動ジョイント７内のロック機構を連動的に解錠させることができる解錠機構をさらに含み、３つの内の１つの回動ジョイントが解錠されると、他の２つの回動ジョイントがそれに伴い連動的に解錠される。図１５〜図１８を参照し、本実施例は、具体的な第１の回動ジョイント５、第２の回動ジョイント６、第３の回動ジョイント７および解錠機構をさらに提供する。
【００３６】
図１５に示すように、第１の回動ジョイント５は、下部垂直ロッド１２１の下端部と固定するように接続される下部垂直ロッド接続具５１、前部ブラケット１５の上端部と固定するように接続される前部ブラケット接続具５２、および後部ブラケット１６の上端部と固定するように接続される後部ブラケット接続具５３を含み、下部垂直ロッド接続具５１、前部ブラケット接続具５２、後部ブラケット接続具５３はそれぞれ第４の支持軸９４を介して回動可能に接続され、それぞれが相対的に回動可能になる。図１８に示すように、第１の回動ジョイント５は、可動的に設けられる第１のロック部材５４をさらに含み、下部垂直ロッド接続具５１、前部ブラケット接続具５２、後部ブラケット接続具５３の外縁にそれぞれ第１のロック部材５４の挿入可能な溝が開設され、第１のロック部材５４および３つの前記の溝は第１の回動ジョイント５内のロック機構を形成する。子供の食事用椅子は展開状態にある場合、下部垂直ロッド接続具５１、前部ブラケット接続具５２、後部ブラケット接続具５３が、それぞれの溝が互いに重なる位置まで相対的に回動し、当該位置で、それぞれの溝が重なって第１のロック溝５０１を形成し、第１のロック部材５４が第１のロック溝５０１に挿入されることで、第１の回動ジョイント５をロックさせる。子供の食事用椅子は折り畳み状態にある場合、第１のロック部材５４は前記溝から係合解除され、第１の回動ジョイント５が解錠される。具体的に、図１８のように、第１のロック部材５４は上下に沿って摺動可能に下部垂直ロッド１２１内に設けられることで、上に移動して第１のロック溝５０１から係合解除したり、下へ移動して第１のロック溝５０１に挿入したりすることができる。
【００３７】
図１６〜図１８に示すように、背もたれロッド１１の下端部は一つの背もたれロッド接続具６１と固定するように接続され、当該背もたれロッド接続具６１は第２の回動ジョイント６と第３の回動ジョイント７の構成部材の一つとして、第２の回動ジョイント６は第３の回動ジョイント７の下方に位置する。第２の回動ジョイント６は主に前記の背もたれロッド接続具６１および第１のスライダ６２、第２のロック部材６３、上部垂直ロッド接続具６４からなる。ここに、上部垂直ロッド接続具６４は垂直ロッドアセンブリ１２（具体的には上部垂直ロッド１２２）の上端部と固定するように接続され、背もたれロッド接続具６１の下部、第１のスライダ６２、第２のロック部材６３および上部垂直ロッド接続
具６４は順次第５の支持軸９５を介して回動可能に接続され、第１のスライダ６２、第２のロック部材６３は第５の支持軸９５の軸中心線に沿って摺動可能に背もたれロッド接続具６１と上部垂直ロッド接続具６４の二者間に形成される空間に設けられる。第２のロック部材６３の外縁は複数の歯状の第２のロック部６３１を有し、背もたれロッド接続具６１の下部に第２のロック部６３１と嵌め合う第２のロック溝６３２が開設されており、上部垂直ロッド接続具６４上にも第２のロック部６３１と嵌め合うロック溝が開設されており、第２のロック部６３１と背もたれロッド接続具６１における第２のロック溝６３２、上部垂直ロッド接続具６４におけるロック溝は即ち、第２の回動ジョイント６内のロック機構を形成する。子供の食事用椅子は展開状態にある場合、背もたれロッド接続具６１の第２のロック溝６３２、上部垂直ロッド接続具６４におけるロック溝はそれぞれ対応して重なり、複数の第２のロック部６３１が対応して挿入され、背もたれロッド接続具６１と上部垂直ロッド接続具６４は相対的に回動不可能になることで、第２の回動ジョイント６をロックさせ、子供の食事用椅子は折り畳み時に、第２のロック部６３１は第２のロック溝６３２から係合解除され、背もたれロッド接続具６１と上部垂直ロッド接続具６４は相対的に回動可能になり、第２の回動ジョイント６は解錠される。
【００３８】
図１６〜図１８に示すように、第３の回動ジョイント７は主に前記の背もたれロッド接続具６１および第３のロック部材７１、第２のスライダ７２、ダイニングプレート接続具７３からなる。ここに、ダイニングプレート接続具７３はダイニングプレート３１と接続され、背もたれロッド接続具６１の上部、第３のロック部材７１、第２のスライダ７２、ダイニングプレート接続具７３は第６の支持軸９６を介して順次回動可能に接続される。第３のロック部材７１、第２のスライダ７２は第６の支持軸９６の軸中心線に沿って摺動可能に背もたれロッド接続具６１の上部、ダイニングプレート接続具７３の二者間に形成される空間に設けられる。第３のロック部材７１の外縁は複数の歯状の第３のロック部７１１を有し、背もたれロッド接続具６１の上部に第３のロック部７１１と嵌め合う第３のロック溝７１２が開設されており、ダイニングプレート接続具７３にも第３のロック部７１１と嵌め合うロック溝が開設されており、第３のロック部７１１と背もたれロッド接続具６１における第３のロック溝７１２、ダイニングプレート接続具７３におけるロック溝は即ち、第３の回動ジョイント７内のロック機構を形成する。子供の食事用椅子は展開状態にある場合、背もたれロッド接続具６１における第３のロック溝７１２、ダイニングプレート接続具７３におけるロック溝はそれぞれ対応して重なり、複数の第３のロック部７１１が対応して挿入され、背もたれロッド接続具６１とダイニングプレート接続具７３は相対的に回動不可能になることで、第３の回動ジョイント７をロックさせ、子供の食事用椅子は折り畳み時に、第３のロック部７１１はダイニングプレート接続具７３におけるロック溝から係合解除され、背もたれロッド接続具６１とダイニングプレート接続具７３は回動可能になり、第３の回動ジョイント７は解錠される。
【００３９】
図１６〜図１８に示すように、解錠機構は主に引手８１、第１の牽引ケーブル（図中非表示）、第１の牽引ケーブル台座８３、第２の牽引ケーブル８４、第２の牽引ケーブル台座８５および第３の牽引ケーブル（図中非表示）からなる。ここに、人の手で操作しやすいために、引手８１は前後に摺動可能にダイニングプレート接続具７３に設けられるとともに一部がダイニングプレート接続具７３の下方に位置する。第１の牽引ケーブルは一端が引手８１に固定するように接続され、他端が第２のスライダ７２に固定するように接続される。第２のスライダ７２は、ダイニングプレート接続具７３と第３のロック部材７１の間に設けられ、ダイニングプレート接続具７３の一方側の表面に第２のスライダ７２と接触協働する第２のガイド斜面を有し、第２のスライダ７２が回動するにつれて、第２のガイド斜面の作用で第２のスライダ７２が同時に第６の支持軸９６に沿って摺動し、第３のロック部材７１はそれに伴い第３のロック部７１１がダイニングプレート接続具７３におけるロック溝から係合解除されるまで背もたれロッド接続具６１に押し付けられ、第３の回動ジョイント７は解錠され、ダイニングプレート３１は背もたれロッドに近接可能で
ある。第１の牽引ケーブル台座８３は第３の回動ジョイント７内に設けられるとともにダイニングプレート接続具７３に伴い回動可能であり、背もたれロッド接続具６１の上部は１の牽引ケーブル台座８３を収容するための円弧形の第１の取付溝８３１を有し、第６の支持軸９６をまわりに円周に沿って移動することを可能にするために、第１の牽引ケーブル台座８３は可動的に第１の取付溝８３１に設けられる。第２の牽引ケーブル８４の上端に第１の牽引ケーブル台座８３が固定するように接続されており、下端に第１のスライダ６２が固定するように接続されている。第１のスライダ６２は第２の牽引ケーブル８４の駆動で回動させられ、第１のスライダ６２は背もたれロッド接続具６１と第２のロック部材６３の間に設けられ、背もたれロッド接続具６１の一方側の表面に第１のスライダ６２と接触協働する第１のガイド斜面６２１を有し、第１のスライダ６２が回動するにつれて、第１のガイド斜面６２１の作用で第１のスライダ６２が同時に第５の支持軸９５に沿って摺動し、第２のロック部材６３はそれに伴い第２のロック部６３１が第２のロック溝６３２から係合解除されるまで上部垂直ロッド接続具６４に押し付けられ、第２の回動ジョイント６は解錠され、背もたれロッド１１は垂直ロッドアセンブリ１２に近接可能である。第２の牽引ケーブル台座８５は第２の回動ジョイント６内に設けられるとともに背もたれロッド接続具６１に伴い回動可能であり、背もたれロッド接続具６１の下部は第２の牽引ケーブル台座８５を収容するための第２の取付溝を有し、背もたれロッド接続具６１に伴い回動することを可能にするために、第２の牽引ケーブル台座８５は第２の取付溝に設けられる。第３の牽引ケーブルの上端に第２の牽引ケーブル台座８５が固定するように接続されており、下端に第１のロック部材５４が固定するように接続されている。
【００４０】
上記解錠構造により第１の回動ジョイント５、第２の回動ジョイント６、第３の回動ジョイント７を連動的に解錠させる過程を次の通りに説明する。引手８１を引っ張って、第１の牽引ケーブルは第２のスライダ７２を回動させるように駆動して、第３のロック部材７１を背もたれロッド接続具６１に向かって摺動させるように押し付け、第３のロック部７１１がダイニングプレート接続具７３におけるロック溝から係合解除されるまで、ダイニングプレート接続具７３と背もたれロッド接続具６１との間のロック作用が失効し、第３の回動ジョイント７は解錠され、ダイニングプレート接続具７３は背もたれロッド接続具に対して回動する。第１の牽引ケーブル台座８３はダイニングプレート接続具７３に伴い回動し、第２の牽引ケーブル８４は第１のスライダ６２を回動させるように駆動して第２のロック部材６３を上部垂直ロッド接続具６４に向かって摺動させるように押し付け、第２のロック部６３１が第２のロック溝６３２から係合解除されるまで、背もたれロッド接続具６１と上部垂直ロッド接続具６４との間のロック作用が失効し、第２の回動ジョイント６は解錠され、背もたれロッド接続具６１は上部垂直ロッド接続具６４に対して回動する。第２の牽引ケーブル台座８５は背もたれロッド接続具６１に伴って回動し、第３の牽引ケーブルは第１のロック部材５４を上向きに移動させるように駆動して、第１のロック溝５０１から係合解除され、第１の回動ジョイント５は解錠され、前部ブラケット接続具５２、後部ブラケット接続具５３は下部垂直ロッド接続具５１に対して回動する。
【００４１】
特に以下のことについて説明する必要がある。図１に示すように、上記第１の支持軸９１、第２の支持軸９２、第３の支持軸９３、第４の支持軸９４、第５の支持軸９５および第６の支持軸９６は軸中心線が全て互いに平行であり、左右方向に沿って延在するのが好ましい。２つのサイドブラケットの第１の支持軸９１の軸中心線が互いに重なり、２つのサイドブラケットの第２の支持軸９２の軸中心線が互いに重なり、２つのサイドブラケットの第３の支持軸９３の軸中心線が互いに重なり、２つのサイドブラケットの第４の支持軸９４の軸中心線が互いに重なり、２つのサイドブラケットの第５の支持軸９５の軸中心線が互いに重なり、２つのサイドブラケットの第６の支持軸９６の軸中心線が互いに重なることで、折り畳み状態の子供の食事用椅子の体積がさらに小さくなる。上記の四リンク機構のうち、リンク１４の上端部は具体的に前記第２の支持軸９２を介して第２の回動ジョイント６の背もたれロッド接続具６１と回動可能に接続され、すなわち、リンク１４と
背もたれロッドとは背もたれロッド接続具６１を介して間接回動的に接続されることができ、直接回動的に接続されることもできる。第５の支持軸９５は第２の支持軸９２の前下方に位置し、第１の支持軸９１は第３の支持軸９３の前下方に位置する。
【００４２】
クロスブラケットは複数の横方向に折り畳みまたは伸縮可能なクロスロッドアセンブリ、例えば、第１のクロスロッドアセンブリ２１、第２のクロスロッドアセンブリ２２および第３のクロスロッドアセンブリ２３を含む。具体的には、本実施例において、各クロスロッドアセンブリのそれぞれは外部ロッド２ａと左右方向に沿って摺動可能に外部ロッド２ａと接続される内部ロッド２ｂを含み、外部ロッド２ａ、内部ロッド２ｂの一方は左サイドブラケットと接続され、他方は右サイドブラケットと接続される。図２、図５に示すように、外部ロッド２ａは左右方向に沿って摺動可能に内部ロッド２ｂに外装されることで、左右方向に沿って横方向に収納可能である。好ましくは、クロスロッドアセンブリは具体的に左右両側の背もたれロッド１１上端部の間に接続される第１のクロスロッドアセンブリ２１、左右両側の前部ブラケット１５下部の間に接続される第２のクロスロッドアセンブリ２２および左右両側の後部ブラケット１６の間に接続される第３のクロスロッドアセンブリ２３を含む。ここに、第１のクロスロッドアセンブリ２１において、内部ロッド２ｂは左側の背もたれロッド１１と接続され、外部ロッド２ａは右側の背もたれロッド１１と接続される。第２のクロスロッドアセンブリ２２において、外部ロッド２ａは左側の前部ブラケット１５と接続され、内部ロッド２ｂは右側の前部ブラケット１５と接続される。第３のクロスロッドアセンブリ２３において、内部ロッド２ｂは左側の後部ブラケット１６と接続され、外部ロッド２ａは右側の後部ブラケット１６と接続される。特に説明すべき点については、１つの好ましい実施の形態において、各クロスロッドアセンブリは外部ロッド２ａの長さが同一であり、内部ロッド２ｂの長さが同一であり、横方向に折り畳み後、両側の背もたれロッド１１の間隔、前部ブラケット１５の間隔および後部ブラケット１６の間隔が同一であり、折り畳み後の子供の食事用椅子は比較的に整然であり、体積がさらに小さくなる。
【００４３】
ダイニングプレート３１は第３の回動ジョイント７のダイニングプレート接続具７３と着脱可能に接続されるため、子供の食事用椅子を横方向に折り畳み可能にするために、ダイニングプレート３１はダイニングプレート接続具７３を係合解除可能である。
【００４４】
本実施例に係る子供の食事用椅子の折り畳み原理は以下の通りである。
【００４５】
図１〜図４に示す展開状態では、第１の回動ジョイント５、第２の回動ジョイント６、第３の回動ジョイント７はロックされ、垂直ロッドアセンブリ１２、背もたれロッド１１、リンク１４およびシートロッド１３は対向して展開され、前部ブラケット１５と後部ブラケット１６も対向して展開され、ダイニングプレート３１はダイニングプレート接続具７３３２と接続され、実質的に水平となる。
【００４６】
図５、図６に示すように、折り畳み始める際に、引手８１を引っ張って、第３の回動ジョイント７、第２の回動ジョイント６、第１の回動ジョイント５を解錠させ、ダイニングプレート３１は背もたれロッド１１に近接するまで上かつ後へ反転する。
【００４７】
図７、図８に示すように、ダイニングプレート３１および背もたれロッド１１は後かつ下へ反転し、背もたれロッド１１が回動するにつれて、リンク１４はシートロッド１３をそれに伴って回動させるように駆動して、シートロッド１３の前端部、リンク１４および垂直ロッドアセンブリ１２の上端部、背もたれロッド１１の下端部が近接してシートロッド１３の後端部、リンク１４および垂直ロッドアセンブリ１２の下端部、背もたれロッド１１の上端部が近接するまでシートロッド１３前端を上向きに、後端を下向きにする。
【００４８】
図９〜図１１に示すように、下端部が垂直ロッドアセンブリ１２の上端部と近接し、両側のサイドブラケットが上下方向と前後方向での収納を完成するまで前部ブラケット１５、後部ブラケット１６はともに前且つ上へ反転する。
【００４９】
その後、ダイニングプレート３１をダイニングプレート接続具７３３２から取り出し、サイドブラケットを係合解除させる。右側へ左サイドブラケットを押し付け、および／または左側へ右サイドブラケットを押し付け、第１のクロスロッドアセンブリ２１、第２のクロスロッドアセンブリ２２、第３のクロスロッドアセンブリ２３の内部ロッド２ｂを外部ロッド２ａに収容させ、２つのサイドブラケットを互いに近接させ、左右方向での収納を完成させ、子供の食事用椅子は図１２〜図１４に示す折り畳み状態にある。
【００５０】
本発明に係る子供の食事用椅子は、折り畳み後の体積が小さく、連動的に解錠可能であり、折り畳みが便利であり、椅子の高さが調整可能であり、使用が便利である。
【００５１】
実施例２
本実施例は基本的に実施例１と同様であり、実施例１との相違点は、「ダイニングプレート３１は両側のダイニングプレート接続具７３とそれぞれ固定するように接続されるダイニングプレート左部３１１とダイニングプレート右部３１２を含み、ダイニングプレート左部３１１は左右方向に沿って摺動可能にダイニングプレート右部３１２と接続されることで、ダイニングプレート左部３１１とダイニングプレート右部３１２を互いに近接可能にするため、横方向に折り畳み時、ダイニングプレート３１を取り外すことなく横方向に収納が可能になる」ことのみにある。具体的に、図１５〜図１８において、ダイニングプレート左部３１１は左右方向に沿って摺動可能にダイニングプレート右部３１２内に挿設され、子供の食事用椅子は折り畳み状態にある場合、ダイニングプレート左部３１１はダイニングプレート右部３１２内に収容される。
【００５２】
上記実施例は本発明の技術思想及び特徴を説明するためのものに過ぎず、好ましい実施例であり、その目的は、当業者が本発明の内容を理解して実施することができることであり、本発明の保護範囲を限定するものではない。
【符号の説明】
【００５３】
１１  背もたれロッド
１２  垂直ロッドアセンブリ
１２１  下部垂直ロッド
１２２  上部垂直ロッド
１２３  第１の接続具
１３  シートロッド
１３１  第２の接続具
１３２  第３の接続具
１４  リンク
１５  前部ブラケット
１６  後部ブラケット
２１  第１のクロスロッドアセンブリ
２２  第２のクロスロッドアセンブリ
２３  第３のクロスロッドアセンブリ
２ａ  外部ロッド
２ｂ  内部ロッド
３１  ダイニングプレート
３１１  ダイニングプレート左部
３１２  ダイニングプレート右部
４  シート布カバー
５  第１の回動ジョイント
５１  下部垂直ロッド接続具
５２  前部ブラケット接続具
５３  後部ブラケット接続具
５４  第１のロック部材
５０１  第１のロック溝
６  第２の回動ジョイント
６１  背もたれロッド接続具
６２  第１のスライダ
６２１  第１のガイド斜面
６３  第２のロック部材
６３１  第２のロック部
６３２  第２のロック溝
６４  上部垂直ロッド接続具
７  第３の回動ジョイント
７１  第３のロック部材
７１１  第３のロック部
７１２  第３のロック溝
７２  第２のスライダ
７３  ダイニングプレート接続具
８１  引手
８３  第１の牽引ケーブル台座
８３１  第１の取付溝
８４  第２の牽引ケーブル
８５  第２の牽引ケーブル台座
９１  第１の支持軸
９２  第２の支持軸
９３  第３の支持軸
９４  第４の支持軸
９５  第５の支持軸
９６  第６の支持軸
【図１】
2021504030.tif 000003
【図２】
2021504030.tif 000004
【図３】
2021504030.tif 000005
【図４】
2021504030.tif 000006
【図５】
2021504030.tif 000007
【図６】
2021504030.tif 000008
【図７】
2021504030.tif 000009
【図８】
2021504030.tif 000010
【図９】
2021504030.tif 000011
【図１０】
2021504030.tif 000012
【図１１】
2021504030.tif 000013
【図１２】
2021504030.tif 000014
【図１３】
2021504030.tif 000015
【図１４】
2021504030.tif 000016
【図１５】
2021504030.tif 000017
【図１６】
2021504030.tif 000018
【図１７】
2021504030.tif 000019
【図１８】
2021504030.tif 000020
【図１９】
2021504030.tif 000021
【図２０】
2021504030.tif 000022
【図２１】
2021504030.tif 000023
【図２２】
2021504030.tif 000024
【手続補正書】
【提出日】令和2年6月11日(2020.6.11)
【手続補正１】
【補正対象書類名】明細書
【補正対象項目名】０００９
【補正方法】変更
【補正の内容】
【０００９】
一部の実施例において、前記第１の回動ジョイントは可動的に設けられる第１のロック部材をさらに含み、前記下部垂直ロッド接続具、前部ブラケット接続具、後部ブラケット接続具の外縁にそれぞれ前記第１のロック部材の挿入可能な溝が開設されており、前記子供の食事用椅子は展開状態にある場合、前記下部垂直ロッド接続具、前部ブラケット接続具、後部ブラケット接続具における溝は互いに重なることで第１のロック溝が形成され、前記第１のロック部材は前記第１のロック溝に挿入されることで前記第１の回動ジョイントをロックさせ、前記子供の食事用椅子は折り畳み状態にある場合に、前記第１のロック部材が前記第１のロック溝から係合解除される。
【手続補正２】
【補正対象書類名】明細書
【補正対象項目名】００１２
【補正方法】変更
【補正の内容】
【００１２】
一部の実施例において、前記ダイニングプレートは前記背もたれロッドと第３の回動ジョイントを介して回動可能に接続され、前記第３の回動ジョイントの各回動ジョイント内にロック機構が設けられ、前記子供の食事用椅子は、前記第１の回動ジョイント内のロック機構、前記第２の回動ジョイント内のロック機構および前記第３の回動ジョイント内のロック機構を連動的に解錠させることができる解錠機構をさらに含む。
【手続補正３】
【補正対象書類名】明細書
【補正対象項目名】００１５
【補正方法】変更
【補正の内容】
【００１５】
一部の実施例において、前記解錠機構のそれぞれは、
ダイニングプレート接続具に摺動可能に設けられる引手と、
一端が前記引手と固定するように接続され、他端が前記ダイニングプレート接続具と前
記第３のロック部材との間に設けられる前記第２のスライダと固定するように接続される第１の牽引ケーブルであって、前記ダイニングプレート接続具の一方側表面に前記第２のスライダと接触協働する第２のガイド斜面を備え、前記第２のスライダを前記第６の支持軸に沿って摺動させることで、前記第３のロック部材を前記ダイニングプレート接続具におけるロック溝から係合解除されるように押し付け、前記第３の回動ジョイントを解錠させる第１の牽引ケーブルと、
前記ダイニングプレート接続具に伴って回動可能に前記第３の回動ジョイント内に設けられる第１の牽引ケーブル台座と、
一端が前記第１の牽引ケーブル台座と固定するように接続され、他端が前記背もたれロッド接続具と前記第２のロック部材との間に設けられる前記第１のスライダと固定するように接続される第２の牽引ケーブルであって、前記背もたれロッド接続具の一方側表面に前記第１のスライダと接触協働する第１のガイド斜面を備え、前記第１のスライダを前記第５の支持軸に沿って摺動させることで、前記第２のロック部材を前記背もたれロッド接続具におけるロック溝から係合解除されるように押し付け、前記第２の回動ジョイントを解錠させる第２の牽引ケーブルと、
前記背もたれロッド接続具に伴って回動可能に前記第２の回動ジョイント内に設けられる第２の牽引ケーブル台座と、
一端が前記第２の牽引ケーブル台座と固定するように接続され、他端が前記第１の回動ジョイントを解錠させるように引っ張るように前記第１の回動ジョイントと固定するように接続される第３の牽引ケーブルと、を含む。
【手続補正４】
【補正対象書類名】明細書
【補正対象項目名】００２３
【補正方法】変更
【補正の内容】
【００２３】
一部の実施例において、前記クロスブラケットは、
前記サイドブラケットの前記背もたれロッドの間に接続される第１のクロスロッドアセンブリと、
前記サイドブラケットの前記前部ブラケットの間に接続される第２のクロスロッドアセンブリと、
前記サイドブラケットの前記後部ブラケットの間に接続される第３のクロスロッドアセンブリと、を含む。
【手続補正５】
【補正対象書類名】明細書
【補正対象項目名】００３０
【補正方法】変更
【補正の内容】
【００３０】
実施例１
本実施例は、展開状態と折り畳み状態を有する折り畳みタイプの子供の食事用椅子を提供する。図１〜図１４に示すように、当該子供の食事用椅子は、それぞれ左右両側に位置する２つのサイドブラケット、両側の前記サイドブラケットの間に設けられるクロスブラケット及びダイニングプレート３１を含む。各前記サイドブラケットのそれぞれは、ベースブラケット、垂直ロッドアセンブリ１２および背もたれロッド１１を含み、ベースブラケットの上端部と垂直ロッドアセンブリ１２の下端部とは第１の回動ジョイント５を介して回動可能に接続され、垂直ロッドアセンブリ１２の上端部と背もたれロッド１１の下端部とは第２の回動ジョイント６を介して回動可能に接続される。第１の回動ジョイント５
、第２の回動ジョイント６の各回動ジョイント内にはそれぞれロック機構が設けられる。ダイニングプレート３１と垂直ロッドアセンブリ１２、背もたれロッド１１とは上記の第２の回動ジョイント６を介して回動可能に接続されるか、または、ダイニングプレート３１と垂直ロッドアセンブリ１２または背もたれロッド１１とは１つの第３の回動ジョイント７を介して回動可能に接続される。具体的には、本実施例において、ダイニングプレート３１と背もたれロッド１１とは１つの第３の回動ジョイント７を介して回動可能に接続され、第３の回動ジョイント７の各回動ジョイント内にもロック機構が設けられている。子供の食事用椅子は展開状態にある場合、第１の回動ジョイント５、第２の回動ジョイント６、第３の回動ジョイント７はそれぞれ各自のロック機構によってロックされ、ダイニングプレート３１、ベースブラケット、垂直ロッドアセンブリ１２および背もたれロッド１１は対向して展開される。子供の食事用椅子は折り畳み状態にある場合、第１の回動ジョイント５、第２の回動ジョイント６、第３の回動ジョイント７は全て解錠され、ダイニングプレート３１と背もたれロッド１１とは互いに近接し、ベースブラケット、垂直ロッドアセンブリ１２および背もたれロッド１１は互いに近接する。
【手続補正６】
【補正対象書類名】明細書
【補正対象項目名】００３６
【補正方法】変更
【補正の内容】
【００３６】
図１５に示すように、第１の回動ジョイント５は、下部垂直ロッド１２１の下端部と固定するように接続される下部垂直ロッド接続具５１、前部ブラケット１５の上端部と固定するように接続される前部ブラケット接続具５２、および後部ブラケット１６の上端部と固定するように接続される後部ブラケット接続具５３を含み、下部垂直ロッド接続具５１、前部ブラケット接続具５２、後部ブラケット接続具５３はそれぞれ第４の支持軸９４を介して回動可能に接続され、それぞれが相対的に回動可能になる。図１８に示すように、第１の回動ジョイント５は、可動的に設けられる第１のロック部材５４をさらに含み、下部垂直ロッド接続具５１、前部ブラケット接続具５２、後部ブラケット接続具５３の外縁にそれぞれ第１のロック部材５４の挿入可能な溝が開設され、第１のロック部材５４および３つの前記の溝は第１の回動ジョイント５内のロック機構を形成する。子供の食事用椅子は展開状態にある場合、下部垂直ロッド接続具５１、前部ブラケット接続具５２、後部ブラケット接続具５３が、それぞれの溝が互いに重なる位置まで相対的に回動し、当該位置で、それぞれの溝が重なって第１のロック溝５０１を形成し、第１のロック部材５４が第１のロック溝５０１に挿入されることで、第１の回動ジョイント５をロックさせる。子供の食事用椅子は折り畳み状態にある場合、第１のロック部材５４は前記第１のロック溝から係合解除され、第１の回動ジョイント５が解錠される。具体的に、図１８のように、第１のロック部材５４は上下に沿って摺動可能に下部垂直ロッド１２１内に設けられることで、上に移動して第１のロック溝５０１から係合解除したり、下へ移動して第１のロック溝５０１に挿入したりすることができる。
【手続補正７】
【補正対象書類名】明細書
【補正対象項目名】００４５
【補正方法】変更
【補正の内容】
【００４５】
図１〜図４に示す展開状態では、第１の回動ジョイント５、第２の回動ジョイント６、第３の回動ジョイント７はロックされ、垂直ロッドアセンブリ１２、背もたれロッド１１、リンク１４およびシートロッド１３は対向して展開され、前部ブラケット１５と後部ブ
ラケット１６も対向して展開され、ダイニングプレート３１はダイニングプレート接続具７３と接続され、実質的に水平となる。
【手続補正８】
【補正対象書類名】明細書
【補正対象項目名】００４９
【補正方法】変更
【補正の内容】
【００４９】
その後、ダイニングプレート３１をダイニングプレート接続具７３から取り出し、サイドブラケットを係合解除させる。右側へ左サイドブラケットを押し付け、および／または左側へ右サイドブラケットを押し付け、第１のクロスロッドアセンブリ２１、第２のクロスロッドアセンブリ２２、第３のクロスロッドアセンブリ２３の内部ロッド２ｂを外部ロッド２ａに収容させ、２つのサイドブラケットを互いに近接させ、左右方向での収納を完成させ、子供の食事用椅子は図１２〜図１４に示す折り畳み状態にある。
【手続補正９】
【補正対象書類名】特許請求の範囲
【補正対象項目名】全文
【補正方法】変更
【補正の内容】
【特許請求の範囲】
【請求項１】
少なくとも２つのサイドブラケット、前記サイドブラケットの間に設けられるクロスブラケットおよびダイニングプレートを含む子供の食事用椅子において、
各前記サイドブラケットのそれぞれは、ベースブラケット、垂直ロッドアセンブリおよび背もたれロッドを含み、前記ベースブラケットの上端部と前記垂直ロッドアセンブリの下端部とは第１の回動ジョイントを介して回動可能に接続され、前記垂直ロッドアセンブリの上端部は第２の回動ジョイントを介して前記背もたれロッドの下端部と回動可能に接続され、前記第１の回動ジョイント、前記第２の回動ジョイント内にそれぞれロック機構が設けられ、
前記子供の食事用椅子は展開状態と折り畳み状態を有し、展開状態にある場合、前記第１の回動ジョイント、第２の回動ジョイントはロックされ、前記ベースブラケット、垂直ロッドアセンブリおよび背もたれロッドは対向して展開され、折り畳み状態にある場合、前記第１の回動ジョイント、第２の回動ジョイントは解錠され、前記ベースブラケット、垂直ロッドアセンブリおよび背もたれロッドは互いに近接することを特徴とする子供の食事用椅子。
【請求項２】
前記ベースブラケットは対向して展開又は近接可能な前部ブラケットと後部ブラケットを含み、前記前部ブラケットの上端部および／または前記後部ブラケットの上端部は前記垂直ロッドアセンブリの下端部と前記第１の回動ジョイントを介して回動可能に接続され、前記子供の食事用椅子は折り畳み状態で、前記前部ブラケット、後部ブラケット、垂直ロッドアセンブリおよび背もたれロッドが互いに近接する
ことを特徴とする請求項１に記載の子供の食事用椅子。
【請求項３】
前記第１の回動ジョイントは、前記垂直ロッドアセンブリ下端部と固定するように接続される下部垂直ロッド接続具と、前記前部ブラケット上端部と固定するように接続される前部ブラケット接続具と、前記後部ブラケット上端部と固定するように接続される後部ブラケット接続具とを含み、前記下部垂直ロッド接続具、前記前部ブラケット接続具、前記後部ブラケット接続具の三者は第４の支持軸を介して回動可能に接続される
ことを特徴とする請求項２に記載の子供の食事用椅子。
【請求項４】
前記第１の回動ジョイントは可動的に設けられる第１のロック部材をさらに含み、前記下部垂直ロッド接続具、前部ブラケット接続具、後部ブラケット接続具の外縁にそれぞれ前記第１のロック部材の挿入可能な溝が開設されており、前記子供の食事用椅子は展開状態にある場合、前記下部垂直ロッド接続具、前部ブラケット接続具、後部ブラケット接続具における溝は互いに重なることで第１のロック溝が形成され、前記第１のロック部材は前記第１のロック溝に挿入されることで前記第１の回動ジョイントをロックさせ、前記子供の食事用椅子は折り畳み状態にある場合に、前記第１のロック部材が前記第１のロック溝から係合解除される
ことを特徴とする請求項３に記載の子供の食事用椅子。
【請求項５】
前記子供の食事用椅子は、前記第１の回動ジョイント内のロック機構と前記第２の回動ジョイント内のロック機構を連動的に解錠させる解錠機構をさらに含む
ことを特徴とする請求項１に記載の子供の食事用椅子。
【請求項６】
前記ダイニングプレートは前記垂直ロッドアセンブリおよび前記背もたれロッドと前記第２の回動ジョイントを介して回動可能に接続され、或いは、前記ダイニングプレートは前記垂直ロッドアセンブリまたは前記背もたれロッドと第３の回動ジョイントを介して回動可能に接続される
ことを特徴とする請求項１に記載の子供の食事用椅子。
【請求項７】
前記ダイニングプレートは前記背もたれロッドと第３の回動ジョイントを介して回動可能に接続され、前記第３の回動ジョイントの各回動ジョイント内にロック機構が設けられ、前記子供の食事用椅子は、前記第１の回動ジョイント内のロック機構、前記第２の回動ジョイント内のロック機構および前記第３の回動ジョイント内のロック機構を連動的に解錠させることができる解錠機構をさらに含む
ことを特徴とする請求項６に記載の子供の食事用椅子。
【請求項８】
前記第２の回動ジョイントは背もたれロッド接続具と、第１のスライダと、第２のロック部材と、上部垂直ロッド接続具とを含み、前記背もたれロッド接続具は前記背もたれロッドの下端部と固定するように接続され、前記上部垂直ロッド接続具は前記垂直ロッドアセンブリの上端部と固定するように接続され、前記背もたれロッド接続具、第１のスライダ、第２のロック部材および上部垂直ロッド接続具は順次第５の支持軸を介して回動可能に接続され、前記第１のスライダ、第２のロック部材は前記第５の支持軸の軸中心線に沿って摺動可能に前記背もたれロッド接続具と前記上部垂直ロッド接続具との間に設けられ、前記第２のロック部材の外縁に歯状の第２のロック部を備え、前記背もたれロッド接続具と前記上部垂直ロッド接続具にそれぞれ前記第２のロック部と嵌め合うロック溝が開設され、前記子供の食事用椅子は展開状態にある場合、前記背もたれロッド接続具におけるロック溝と上部垂直ロッド接続具におけるロック溝とが対応して重なり、前記第２のロック部が前記ロック溝に挿入されることで、前記第２の回動ジョイントはロックされ、前記子供の食事用椅子は折り畳み時に、前記第２のロック部は前記背もたれロッド接続具におけるロック溝または上部垂直ロッド接続具におけるロック溝から係合解除され、前記第２の回動ジョイントは解錠される
ことを特徴とする請求項７に記載の子供の食事用椅子。
【請求項９】
前記第３の回動ジョイントは前記背もたれロッド接続具および第３のロック部材、第２のスライダ、前記ダイニングプレートと接続されるダイニングプレート接続具を含み、前記背もたれロッド接続具、第３のロック部材、第２のスライダ、ダイニングプレート接続具は第６の支持軸を介して順次回動可能に接続され、前記第３のロック部材、第２のスラ
イダは前記第６の支持軸の軸中心線に沿って摺動可能に前記背もたれロッド接続具とダイニングプレート接続具との間を設けられ、前記第３のロック部材の外縁に歯状の第３のロック部を備え、前記背もたれロッド接続具、ダイニングプレート接続具にそれぞれ前記第３のロック部と嵌め合うロック溝が開設され、子供の食事用椅子は展開状態にある場合、前記背もたれロッド接続具におけるロック溝とダイニングプレート接続具におけるロック溝とは対応して重なり、前記第３のロック部が前記ロック溝に挿入されることで、前記第３の回動ジョイントはロックされ、子供の食事用椅子は折り畳み時に、前記第３のロック部は背もたれロッド接続具におけるロック溝またはダイニングプレート接続具におけるロック溝から係合解除され、前記第３の回動ジョイントは解錠される
ことを特徴とする請求項８に記載の子供の食事用椅子。
【請求項１０】
前記解錠機構のそれぞれは、
ダイニングプレート接続具に摺動可能に設けられる引手と、
一端が前記引手と固定するように接続され、他端が前記ダイニングプレート接続具と前記第３のロック部材との間に設けられる前記第２のスライダと固定するように接続される第１の牽引ケーブルであって、前記ダイニングプレート接続具の一方側表面に前記第２のスライダと接触協働する第２のガイド斜面を備え、前記第２のスライダを前記第６の支持軸に沿って摺動させることで、前記第３のロック部材を前記ダイニングプレート接続具におけるロック溝から係合解除されるように押し付け、前記第３の回動ジョイントを解錠させる第１の牽引ケーブルと、
前記ダイニングプレート接続具に伴って回動可能に前記第３の回動ジョイント内に設けられる第１の牽引ケーブル台座と、
一端が前記第１の牽引ケーブル台座と固定するように接続され、他端が前記背もたれロッド接続具と前記第２のロック部材との間に設けられる前記第１のスライダと固定するように接続される第２の牽引ケーブルであって、前記背もたれロッド接続具の一方側表面に前記第１のスライダと接触協働する第１のガイド斜面を備え、前記第１のスライダを前記第５の支持軸に沿って摺動させることで、前記第２のロック部材を前記背もたれロッド接続具におけるロック溝から係合解除されるように押し付け、前記第２の回動ジョイントを解錠させる第２の牽引ケーブルと、
前記背もたれロッド接続具に伴って回動可能に前記第２の回動ジョイント内に設けられる第２の牽引ケーブル台座と、
一端が前記第２の牽引ケーブル台座と固定するように接続され、他端が前記第１の回動ジョイントを解錠させるように引っ張るように前記第１の回動ジョイントと固定するように接続される第３の牽引ケーブルと、を含む
ことを特徴とする請求項９に記載の子供の食事用椅子。
【請求項１１】
各前記サイドブラケットのそれぞれは、第１の支持軸を介して回動可能に前記垂直ロッドアセンブリと接続されるシートロッド、および上端部が第２の支持軸を介して回動可能に前記背もたれロッドまたは前記第２の回動ジョイントと接続され、下端部が第３の支持軸を介して回動可能に前記シートロッドと接続されるリンクをさらに含み、前記垂直ロッドアセンブリ、前記背もたれロッド、前記リンクおよび前記シートロッドは四リンク機構を構成することで対向して展開または互いに近接可能となる
ことを特徴とする請求項１に記載の子供の食事用椅子。
【請求項１２】
前記子供の食事用椅子は展開状態において、前記垂直ロッドアセンブリは前へ折り曲げて延在する第１の接続具を備え、前記シートロッドは下へ折り曲げて延在する第２の接続具を備え、前記第１の接続具の前端部と前記第２の接続具の下端部とは前記第１の支持軸を介して回動可能に接続され、および／または、前記シートロッドは上へ折り曲げて延在する第３の接続具を備え、前記第３の接続具の上端部と前記リンクの下端部とは前記第３の支持軸を介して回動可能に接続される
ことを特徴とする請求項１１に記載の子供の食事用椅子。
【請求項１３】
前記第１の支持軸、第２の支持軸および第３の支持軸は軸中心線が互いに平行である
ことを特徴とする請求項１１または１２に記載の子供の食事用椅子。
【請求項１４】
前記垂直ロッドアセンブリは下部垂直ロッドと、上下方向に沿って摺動可能に前記下部垂直ロッドと接続される上部垂直ロッドとを含み、前記下部垂直ロッドの下端部と前記ベースブラケットとは前記第１の回動ジョイントを介して回動可能に接続され、前記上部垂直ロッドの上端部と前記背もたれロッドとは前記第２の回動ジョイントを介して回動可能に接続される
ことを特徴とする請求項１に記載の子供の食事用椅子。
【請求項１５】
前記クロスブラケットは、少なくとも１つのクロスロッドアセンブリを含み、前記クロスロッドアセンブリは、外部ロッドと、左右方向に沿って摺動可能に前記外部ロッドと接続される内部ロッドと、を含み、前記外部ロッド、内部ロッドはそれぞれ２つの前記サイドブラケットと接続され、前記子供の食事用椅子は前記折り畳み状態にあるとき、２つの前記サイドブラケットを互いに近接させるように前記外部ロッドと内部ロッドが互いに近接する
ことを特徴とする請求項１に記載の子供の食事用椅子。
【請求項１６】
前記ダイニングプレートは着脱可能に前記サイドブラケットと接続され、前記子供の食事用椅子は前記折り畳み状態にあるとき、前記ダイニングプレートは前記サイドブラケットを係合解除する、または
前記ダイニングプレートは左右方向に沿って互いに摺動可能なダイニングプレート左部とダイニングプレート右部を含み、前記子供の食事用椅子は前記折り畳み状態にあるとき、前記ダイニングプレート左部と前記ダイニングプレート右部とは互いに近接する
ことを特徴とする請求項１５に記載の子供の食事用椅子。
【請求項１７】
前記クロスブラケットは、
前記サイドブラケットの前記背もたれロッドの間に接続される第１のクロスロッドアセンブリと、
前記サイドブラケットの前記前部ブラケットの間に接続される第２のクロスロッドアセンブリと、
前記サイドブラケットの前記後部ブラケットの間に接続される第３のクロスロッドアセンブリと、を含む
ことを特徴とする請求項１５または１６に記載の子供の食事用椅子。
【国際調査報告】
2021504030.tif 000025
2021504030.tif 000026
2021504030.tif 000027
2021504030.tif 000028
2021504030.tif 000029
2021504030.tif 000030